(57)【要約】 【課題】  試聴者が複数のスピーカの試聴を容易に行うことが出来る試聴用スピーカ装置を提供する。【解決手段】  所要の位置に配置された複数のスピーカＰ１，Ｐ２，Ｐ３，Ｐ４と、プレーヤＰＬと、このプレーヤＰＬと複数のスピーカＳＰ１，ＳＰ２，ＳＰ３，ＳＰ４とを切り替えて接続する第１切替スイッチＳＷ１と、各スピーカＳＰ１，ＳＰ２，ＳＰ３，ＳＰ４に設けられた人体検出センサＳＥ１，ＳＥ２，ＳＥ３，ＳＥ４と、この人体検出センサＳＥ１，ＳＥ２，ＳＥ３，ＳＥ４から出力される人体検出信号の入力に基づいて切替信号を出力することにより、人体を検出した人体検出センサに対応するスピーカとプレーヤＰＬとを接続する方向に第１切替スイッチＳＷ１を切り替える。【選択図】      図３
2005151356.tif 000002
【特許請求の範囲】
【請求項１】
所要の位置に配置された複数のスピーカと、
オーディオ信号を出力する音源と、
この音源と前記複数のスピーカとを切り替えて接続する第１切替スイッチ部材と、
前記複数のスピーカ毎にそれぞれ設定された検出領域を有していてこの検出領域内に進入した人体を各検出領域毎に検出する人体検出部材と、
この人体検出部材から出力される人体検出信号が入力されるとともに、入力されてきた人体検出信号に基づいて人体が検出された検出領域が設定されているスピーカと音源とを接続する方向に第１切替スイッチ部材を切り替える第１切替信号を出力する制御部材と、
を備えていることを特徴とする試聴用スピーカ装置。
【請求項２】
前記人体検出部材が、各スピーカの取付位置の近傍にスピーカ毎に配置されている請求項１に記載の試聴用スピーカ装置。
【請求項３】
前記スピーカが取り付けられているケーシングに、各スピーカに対応してスピーカに関する情報を表示するディスプレイ部材が設けられている請求項１に記載の試聴用スピーカ装置。
【請求項４】
前記ディスプレイ部材に、スピーカの説明を表示する第１表示部が設けられている請求項３に記載の試聴用スピーカ装置。
【請求項５】
前記ディスプレイ部材に、試聴者に対する試聴のための移動方向の指示表示を表示する第２表示部が設けられている請求項３に記載の試聴用スピーカ装置。
【請求項６】
前記ディスプレイ部材が各スピーカ毎に設けられている請求項３に記載の試聴用スピーカ装置。
【請求項７】
前記各ディスプレイ部材毎に設けられた照明部材と、この各照明部材と電源とを切り替えて接続する第２切替スイッチ部材とを備え、制御部材が、入力されてきた人体検出信号に基づいて、音源に接続されるスピーカに対応するディスプレイ部材に設けられている照明部材と電源とを接続する方向に第２切替スイッチ部材を切り替える第２切替信号を出力する請求項６に記載の試聴用スピーカ装置。
【請求項８】
前記制御部材が、人体検出信号の入力が無いときに、第２切替スイッチ部材を所定の間隔で順次切り替えて各照明部材を任意の順で電源に接続させる第３切替信号を出力する請求項７に記載の試聴用スピーカ装置。
【請求項９】
前記音源が単一の音源である請求項１に記載の試聴用スピーカ装置。
【請求項１０】
前記音源から出力されるオーディオ信号にアナウンス信号をミキシングするミキサ部材をさらに備えている請求項１に記載の試聴用スピーカ装置。
【請求項１１】
前記アナウンス信号が、音源に接続されるスピーカが切り替えられたことをアナウンスするための音声信号である請求項１０に記載の試聴用スピーカ装置。
【請求項１２】
前記制御部材が、人体検出部材から人体検出信号が入力されたときに、所要のアナウンス信号をミキサ部材に出力する請求項１０に記載の試聴用スピーカ装置。
【請求項１３】
前記音源から出力されるオーディオ信号のボリューム調節を制御部材からの制御信号に基づいて行うボリューム・コントロール部材をさらに備えている請求項１に記載の試聴用スピーカ装置。
【請求項１４】
前記制御部材が、複数の人体検出部材から人体検出信号が入力されて来たときに、一番大きい値の人体検出信号を出力している人体検出部材に対応するスピーカを音源に接続させる第１切替信号を出力する請求項１に記載の試聴用スピーカ装置。
【発明の詳細な説明】
【技術分野】
【０００１】
この発明は、聞き比べをするための試聴用のスピーカ装置に関する。
【背景技術】
【０００２】
一般に、オーディオ・ショップやカー・ショップ等においては、来店者がコンポーネント・ステレオ用スピーカやカー・ステレオ用スピーカを購入しようとする際の便宜を図るために、図１に示されるようにコントロール・スイッチＳＷを介して音源ＳＳに接続された数種類のスピーカＳＰ１，ＳＰ２…を並べて陳列し、来店者が、コントローラＣを自ら操作してコントロール・スイッチＳＷを任意に切り替えることにより、スピーカＳＰ１，ＳＰ２…の聞き比べを行うことが出来るようにしたディスプレイが施されている場合がある。
【０００３】
このような従来の試聴用スピーカのディスプレイの場合、来店者は、購入するスピーカの選択を行う際に、コントローラＣの操作を面倒がって、聞き比べを行って好みに合ったスピーカを探すといったことまでは行おうとはせず、店員の説明や広告などに基づいて、購入するスピーカの決定を安易に行ってしまうというケースが多い。
【０００４】
このため、スピーカの製造メーカ側にとっては、自社スピーカの優れた特性をお客にアピールして販売数の増加を図るといった販売促進方法の採用が難しく、また、販売店側にとっても、来店者が購入するスピーカの決定に手間取ることによって販売効率の向上を図る上での障害になっているといった問題がある。
【発明の開示】
【発明が解決しようとする課題】
【０００５】
この発明は、上記のようなスピーカの販売の際の問題点を解決することを、その解決課題の一つとしているものである。
【課題を解決するための手段】
【０００６】
第１の発明（請求項１に記載の発明）による試聴用スピーカ装置は、上記目的を達成するために、所要の位置に配置された複数のスピーカと、オーディオ信号を出力する音源と、この音源と前記複数のスピーカとを切り替えて接続する第１切替スイッチ部材と、前記複数のスピーカ毎にそれぞれ設定された検出領域を有していてこの検出領域内に進入した人体を各検出領域毎に検出する人体検出部材と、この人体検出部材から出力される人体検出信号が入力されるとともに、入力されてきた人体検出信号に基づいて人体が検出された検出領域が設定されているスピーカと音源とを接続する方向に第１切替スイッチ部材を切り替える第１切替信号を出力する制御部材とを備えていることを特徴としている。
【発明を実施するための最良の形態】
【０００７】
この発明による試聴用スピーカ装置の実施形態は、コンポーネント・ステレオ用やカー・ステレオ用の種類や型式が異なる複数の視聴用スピーカが、横並びに配列されたり任意の位置に分散して配置されるなどの形態で配置され、この各スピーカが切替スイッチによって共通のプレーヤに切り替えて接続されるようになっており、さらに、人体検出部材の検出領域が各スピーカ毎に設定されていて、この人体検出部材が、各検出領域毎に検出領域内に進入してきた人体を検出するとマイクロ・コンピュータに人体検出信号を出力し、このマイクロ・コンピュータは、入力されてきた人体検出信号に基づいて、人体が検出された検出領域が設定されているスピーカとプレーヤとを接続する方向に切替スイッチを切り替える切替信号を出力する試聴用スピーカ装置を、その最良の形態としている。
【０００８】
上記実施形態における試聴用スピーカ装置は、オーディオ・ショップやカー・ショップ等に店舗に設置されて使用される。
【０００９】
そして、来店者が、ショップ内に設置されたこの試聴用スピーカ装置の前に来て、所要の位置に配置されている複数のスピーカのそれぞれに設定されている検出領域の何れかに進入すると、人体検出センサがその進入してきた来店者（試聴者）の人体を検出して、マイクロ・コンピュータＣＰに人体検出信号を出力する。
【００１０】
マイクロ・コンピュータは、この人体検出センサからの人体検出信号の入力によって、来店者（試聴者）が人体検出センサの検出領域内に位置しているスピーカ（試聴者がその試聴位置に位置しているスピーカ）を判定して、切替スイッチに、この切替スイッチを試聴者が試聴位置に位置しているスピーカとプレーヤとを接続する位置に切り替える切替信号を出力する。
【００１１】
以上のように、この実施形態における試聴用スピーカ装置によれば、オーディオ・ショップやカー・ショップ等において、来店者が複数のスピーカを試聴してその聞き比べを行う際に、その来店者は、任意のスピーカの前に立つだけで自動的にそのスピーカからオーディオ出力が行われるので、従来のようにコントローラを操作して試聴するスピーカをその都度切り替える必要が無くなる。
【００１２】
これによって、来店者は、手間を掛けずに所望のスピーカを選択することが出来るようになるとともに、スピーカの製造メーカ側にとっては、自社スピーカの優れた特性をお客にアピールして販売数の増加を図るといった販売促進方法の採用が容易になり、また、販売店側にとっても容易に販売効率の向上を図ることが出来るようになる。
【実施例】
【００１３】
図２は、この発明による試聴用スピーカ装置の実施形態における一実施例を示す外観構成図であり、図３は、同実施例における試聴用スピーカ装置の構成を示すブロック図である。
【００１４】
この図２および３において、試聴用スピーカ装置１０は、陳列するスピーカの数に対応する数（図示の例では４個）のスピーカ・ボックスＢ１，Ｂ２，Ｂ３，Ｂ４が、それぞれ正面方向に向けられた状態で横並びに配列されており、さらに、このスピーカ・ボックスと並ぶ位置（図示の例ではスピーカ・ボックスＢ４の隣の位置）にコントロールボックスＣＢが配置されている。
【００１５】
各スピーカ・ボックスＢ１，Ｂ２，Ｂ３，Ｂ４には、それぞれ、その前面パネルの下部中央部分に、試聴用の種類や型式が異なるスピーカＳＰ１，ＳＰ２，ＳＰ３，ＳＰ４が嵌め込まれた状態でほぼ同一高さに位置されるように取り付けられている。
【００１６】
このスピーカ・ボックスＢ１，Ｂ２，Ｂ３，Ｂ４には、さらに、各スピーカＳＰ１，ＳＰ２，ＳＰ３，ＳＰ４の取付位置の近傍（図示の例では、それぞれスピーカＳＰ１，ＳＰ２，ＳＰ３，ＳＰ４の左下位置）に、人体検出センサＳＥ１，ＳＥ２，ＳＥ３，ＳＥ４がそれぞれ取り付けられている。
【００１７】
そして、各スピーカ・ボックスＢ１，Ｂ２，Ｂ３，Ｂ４の前面パネルの上部部分には、ディスプレイＤ１，Ｄ２，Ｄ３，Ｄ４がそれぞれ取り付けられており、この各ディスプレイＤ１，Ｄ２，Ｄ３，Ｄ４には、後述するような、スピーカの説明を表示する表示部Ｄａ１，Ｄａ２，Ｄａ３，Ｄａ４と、試聴者に対して推薦するスピーカの聞き比べのための移動方向を示す方向指示部Ｄｂ１，Ｄｂ２，Ｄｂ３，Ｄｂ４が設けられている。
【００１８】
このディスプレイＤ１，Ｄ２，Ｄ３，Ｄ４は、図示しない照明によって点灯されるようになっている。
【００１９】
コントロールボックスＣＢには、試聴用スピーカ装置１０に電源供給を行うための電源ＰＳと、ＣＤプレーヤやＭＤプレーヤ等の音源となるプレーヤＰＬと、このプレーヤＰＬから出力されるオーディオ信号と音声アナウンス信号のミキシングを行う音声アナウンス・ミキサＭと、この音声アナウンス・ミキサＭから出力されるオーディオ信号のボリューム・コントローラＶＣと、このボリューム・コントローラＶＣと各スピーカＳＰ１，ＳＰ２，ＳＰ３，ＳＰ４の間に接続された第１切替スイッチＳＷ１と、電源ＰＳと各ディスプレイＤ１，Ｄ２，Ｄ３，Ｄ４の照明との間に接続された第２切替スイッチＳＷ２と、マイクロ・コンピュータＣＰとが、内蔵されている。
【００２０】
人体検出センサＳＥ１，ＳＥ２，ＳＥ３，ＳＥ４は、それぞれ、スピーカ・ボックスＢ１，Ｂ２，Ｂ３，Ｂ４の前面パネルの正面の所定の角度範囲内に位置する人体の検出を行って、後述するように、その検出信号をマイクロ・コンピュータＣＰに出力するようになっている。
【００２１】
各ディスプレイＤ１，Ｄ２，Ｄ３，Ｄ４の表示部Ｄａ１，Ｄａ２，Ｄａ３，Ｄａ４には、それぞれ、スピーカ・ボックスＢ１，Ｂ２，Ｂ３，Ｂ４に取り付けられているスピーカの種類や型式（図示の例では、１．純正品，２．市販、３．ツィータ付き，４．デッドニングの４種類）が表示され、方向指示部Ｄｂ１，Ｄｂ２，Ｄｂ３，Ｄｂ４には矢印（図示の例では、右向きの矢印）が表示されている。
【００２２】
プレーヤＰＬは、図２に示されるように、その操作面がコントロールボックスＣＢの前面パネルに露出されていて、ＣＤやＭＤ等のメディアの交換を自在に行うことが出来るようになっている。
【００２３】
音声アナウンス・ミキサＭは、スピーカの切り替え時の案内（例えば、「１番の純正スピーカに切り替わりました。」などのアナウンス）を行うためのアナウンス信号がマイクロ・コンピュータＣＰから入力されて、このアナウンス信号とプレーヤＰＬから入力されてくるオーディオ信号とのミキシングを行う。
【００２４】
ボリューム・コントローラＶＣは、後述するように、マイクロ・コンピュータＣＰから出力されてくるボリューム・コントロール信号によって、スピーカＳＰ１，ＳＰ２，ＳＰ３，ＳＰ４から出力する音量の調節を行う。
【００２５】
第１切替スイッチＳＷ１は、後述するように、マイクロ・コンピュータＣＰから出力される切替信号によって、プレーヤＰＬ側と各スピーカＳＰ１，ＳＰ２，ＳＰ３，ＳＰ４とを切り替えて接続するようになっている。
【００２６】
第２切替スイッチＳＷ２は、同様に、マイクロ・コンピュータＣＰから出力される切替信号によって、電源ＰＳとスピーカ・ボックスＢ１，Ｂ２，Ｂ３，Ｂ４の各ディスプレイＤ１，Ｄ２，Ｄ３，Ｄ４に取り付けられた図示しない照明とを切り替えて接続するようになっている。
【００２７】
マイクロ・コンピュータＣＰは、人体検出センサＳＥ１，ＳＥ２，ＳＥ３，ＳＥ４に接続されて、これらのセンサから人体検出信号が入力されるようになっているとともに、音声アナウンス・ミキサＭおよびボリューム・コントローラＶＣ，第１切替スイッチＳＷ１，第２切替スイッチＳＷ２に接続されて、これらに作動制御信号を出力することによってその作動制御を行うようになっている。
【００２８】
図４は、このマイクロ・コンピュータＣＰによって行われる試聴用スピーカ装置１０の作動制御の手順を示すフローチャートである。
【００２９】
次に、この図４のフローチャートに基づいて試聴用スピーカ装置１０の作動の説明を行う。
【００３０】
試聴用スピーカ装置１０は、電源ＰＳがオンされることによって、電源ＰＳからプレーヤＰＬに電源が供給されて、このプレーヤＰＬからオーディオ信号が出力され、さらに、人体検出センサＳＥ１，ＳＥ２，ＳＥ３，ＳＥ４に電源が供給されて、この人体検出センサＳＥ１，ＳＥ２，ＳＥ３，ＳＥ４による人体検出が可能な状態になる。
【００３１】
この状態で、マイクロ・コンピュータＣＰは、各スピーカ・ボックスＢ１，Ｂ２，Ｂ３，Ｂ４の前面パネルにそれぞれ取り付けられている人体検出センサＳＥ１，ＳＥ２，ＳＥ３，ＳＥ４からの人体検出信号の入力の有無の検出を常時行う（ステップＳ１）。
【００３２】
このステップＳ１において、人体検出信号の入力が検出されると、次に、人体検出信号が二以上の人体検出センサから入力されているか否かの判断を行う（ステップＳ２）。
【００３３】
次に、マイクロ・コンピュータＣＰは、ステップＳ２において、二以上の人体検出センサから人体検出信号が入力されていると判断された場合には、入力されてくる複数の人体検出信号のうち、最も大きい値の人体検出信号を出力している人体検出センサの判定を行う（ステップＳ３）。
【００３４】
このステップＳ２の判断は、人体検出センサＳＥ１，ＳＥ２，ＳＥ３，ＳＥ４は、それぞれの各スピーカ・ボックスＢ１，Ｂ２，Ｂ３，Ｂ４の前方方向における検出範囲（角度範囲）が、その互いに重なり合う部分が最小限になるように設定されているが、スピーカ・ボックスＢ１，Ｂ２，Ｂ３，Ｂ４が互いに近接して配置される場合には、検出範囲が重なるのは不可避であるために、試聴者がどのスピーカ・ボックスに最も接近しているかを判定するために行われる。
【００３５】
マイクロ・コンピュータＣＰは、人体検出信号を出力している人体検出センサ（複数の人体検出信号が入力されている場合には、最も大きい値の人体検出信号を出力している人体検出センサ）の判定して、スピーカＳＰ１，ＳＰ２，ＳＰ３，ＳＰ４のうち音響出力を行うスピーカを決定すると、第１切替スイッチＳＷ１に切替信号を出力して、第１切替スイッチＳＷ１を切り替えることにより、音響出力の決定を行ったスピーカとプレーヤＰＬとの接続を行う（ステップＳ４）。
【００３６】
さらに、マイクロ・コンピュータＣＰは、第２切替スイッチＳＷ２に切替信号を出力して、第２切替スイッチＳＷ２を切り替えることにより、音響出力を行うことを決定したスピーカが取り付けられているスピーカ・ボックスの照明を電源ＰＳに接続して、そのスピーカ・ボックスのディスプレイを点灯させる（ステップＳ５）。
【００３７】
このディスプレイの点灯によって、試聴者は、スピーカＳＰ１，ＳＰ２，ＳＰ３，ＳＰ４のうち音響出力を行っているスピーカを認識出来るようになる。
【００３８】
さらに、試聴者は、点灯されたディスプレイの表示部Ｄａ１またはＤａ２，Ｄａ３，Ｄａ４の表示を視認することによって、音響出力を行っているスピーカの種類や型式等とその音質等とを関連して認識することが出来るようになる。
【００３９】
また、試聴者は、点灯されたディスプレイの方向指示部Ｄｂ１またはＤｂ２，Ｄｂ３，Ｄｂ４の矢印の表示によって、聞き比べのために、次にどちらの方向に移動すれば良いか、判断が可能となる。
【００４０】
マイクロ・コンピュータＣＰは、上記ステップＳ４およびＳ５に続いてほぼ同時に、音声アナウンス・ミキサＭに、スピーカの切り替えをアナウンスするためのアナウンス信号と作動制御信号を出力して、アナウンス信号とプレーヤＰＬから出力されてくるオーディオ信号とのミキシングを行わせる（ステップＳ６）。
【００４１】
このオーディオ信号にミキシングされたアナウンス信号によって、音響出力を行うスピーカから、スピーカの切り替えが行われたことを試聴者に知らせるアナウンスが行われる。
【００４２】
マイクロ・コンピュータＣＰは、上記ステップＳ４およびＳ５，Ｓ６に続いてほぼ同時に、ボリューム・コントローラＶＣにボリューム・コントロール信号を出力して、ボリューム・コントローラＶＣによるオーディオ信号のボリューム調節を行わせる（ステップＳ７）。
【００４３】
このボリューム・コントローラＶＣによるボリューム調節の設定は、各スピーカＳＰ１，ＳＰ２，ＳＰ３，ＳＰ４の入力レベルを同一にして出力効率の比較を行う場合や、音圧レベルを同一にして音質の比較を行う場合など、試聴者または店舗側の要求に基づいて、適宜行われる。
【００４４】
以上のようにして、試聴者は、スピーカ・ボックスＢ１，Ｂ２，Ｂ３，Ｂ４の何れかの前に立つだけで、スピーカから音響が出力されてきて、そのスピーカによる音響出力の試聴を行うことが出来る。
【００４５】
なお、試聴者がスピーカの試聴を行っている間、マイクロ・コンピュータＣＰは、予め設定されているプログラムに従って第２切替スイッチＳＷ２に切り換え制御信号を出力して、試聴者に次に試聴することを勧めるスピーカのスピーカ・ボックスの照明と電源ＰＳとを接続するスイッチを等間隔に断接することにより、その試聴を勧めるスピーカ・ボックスのディスプレイを点滅させるようにしても良い。
【００４６】
以上のようにして、ステップＳ９までの手順が行われる間、マイクロ・コンピュータＣＰは、ステップＳ１において、人体検出センサＳＥ１，ＳＥ２，ＳＥ３，ＳＥ４からの人体検出信号の入力の有無の検出を継続して行っている。
【００４７】
このステップＳ１において、人体検出信号の入力が検出されない場合には、次に、直前に人体検出信号の入力が検出されていたか否かの判断が行われる（ステップＳ８）。
【００４８】
そして、ステップＳ８において、直前に人体検出信号の入力が検出されていた場合には、マイクロ・コンピュータＣＰは、第１切替スイッチＳＷ１および第２切替スイッチＳＷ２に切替信号を出力して、第１切替スイッチＳＷ１および第２切替スイッチＳＷ２を切断することにより、それまでのスピーカとプレーヤＰＬ、および、ディスプレイの照明と電源ＰＳとの接続を遮断する（ステップＳ９）。
【００４９】
以上のようにして、試聴者が試聴用スピーカ装置１０の各人体検出センサＳＥ，ＳＥ２，ＳＥ３，ＳＥ４の検出範囲の外側に移動して、マイクロ・コンピュータＣＰに人体検出信号が入力されなくなると、スピーカＳＰ１またはＳＰ２，ＳＰ３，ＳＰ４からの音響出力が停止される。
【００５０】
また、試聴者が他の人体検出センサの検出範囲に移動した場合には、ステップＳ２およびＳ３において、新たに人体検出信号の出力を行っている人体検出センサが判定されて、第１切替スイッチＳＷ１および第２切替スイッチＳＷ２が切り替えられることにより、前述したようなステップＳ４〜Ｓ７の手順によって、試聴者のほぼ正面に位置しているスピーカから、新たに、音響の出力が行われる。
【００５１】
一方、ステップＳ８において、人体検出信号が直前に検出されていなかった場合、および、ステップＳ９において、全てのスピーカＳＰ１，ＳＰ２，ＳＰ３，ＳＰ４からの音響出力が遮断された後、マイクロ・コンピュータＣＰは、第２切替スイッチＳＷ２に切替信号を出力して、予め設定された所定の間隔（例えば０．５秒間隔）で第２切替スイッチＳＷ２の各接点の断接を行って、各スピーカ・ボックスＢ１，Ｂ２，Ｂ３，Ｂ４のディスプレイＤ１，Ｄ２，Ｄ３，Ｄ４を任意の順に点滅させる（ステップＳ１０）。
【００５２】
これによって、来店者に対して、試聴用スピーカ装置１０の存在をアピールするとともに、試聴するスピーカの順番を示唆することによって、製品のアピールと販売促進を図ることが出来るようになる。
【図面の簡単な説明】
【００５３】
【図１】従来例を示す概略構成図である。
【図２】この発明の一実施例を示す外観構成図である。
【図３】同実施例の構成を示すブロック図である。
【図４】同実施例におけるマイクロ・コンピュータの制御手順を示すフローチャートである。
【符号の説明】
【００５４】
１０                              …試聴用スピーカ装置
Ｂ１，Ｂ２，Ｂ３，Ｂ４            …スピーカ・ボックス
ＳＰ１，ＳＰ２，ＳＰ３，ＳＰ４    …スピーカ
ＳＥ１，ＳＥ２，ＳＥ３，ＳＥ４    …人体検出センサ（人体検出部材）
Ｄ１，Ｄ２，Ｄ３，Ｄ４            …ディスプレイ部材
Ｄａ１，Ｄａ２，Ｄａ３，Ｄａ４    …第１表示部
Ｄｂ１，Ｄｂ２，Ｄｂ３，Ｄｂ４    …方向指示部（第２表示部）
ＰＳ    …電源
ＰＬ    …プレーヤ（音源）
Ｍ      …音声アナウンス・ミキサ（ミキサ部材）
ＣＰ    …マイクロ・コンピュータ（制御部材）
ＳＷ１  …第１切替スイッチ（第１切替スイッチ部材）
ＳＷ２  …第２切替スイッチ（第２切替スイッチ部材）
ＶＣ    …ボリューム・コントローラ（ボリューム・コントロール部材）
【図１】
2005151356.tif 000003
【図２】
2005151356.tif 000004
【図３】
2005151356.tif 000005
【図４】
2005151356.tif 000006